(57)【要約】【課題】把持手段の開閉によって回転体の速度が変化することを抑制できる搬送装置及び搬送手段を得ることを目的とする。【解決手段】円形であり、該円形の中心を軸に回転する回転体と、回転体を回転させるサーボモータ３４と、回転体の周縁部に等間隔で複数設けられ、回転体が発生させるトルクによって開閉することで搬送物を把持し、回転体が回転した状態で、該搬送物の受け取り及び受け渡しを行うグリッパを備えている。そして、グリッパにより回転体に与えられる外乱トルクを打ち消した所定のトルクで回転体が回転するようにサーボモータ３４を制御する。【選択図】図２
2012006751.tif 000002
【特許請求の範囲】
【請求項１】
円形であり、該円形の中心を軸に回転する回転体と、
前記回転体を回転させるモータと、
前記回転体の周縁部に等間隔で複数設けられ、前記回転体が発生させるトルクによって開閉することで搬送物を把持し、前記回転体が回転した状態で、該搬送物の受け取り及び受け渡しを行う把持手段と、
前記把持手段によって前記回転体に与えられる外乱トルクを打ち消した所定のトルクで前記回転体が回転するように前記モータを制御する制御手段と、
を備えた搬送装置。
【請求項２】
前記回転体の回転角度と前記外乱トルクの値との関係を示す情報を記憶した記憶手段と、
前記回転体を所定の回転角度で回転させるためのトルクの値を導出する導出手段と、
をさらに備え、
前記制御手段は、前記記憶手段に記憶された前記情報から前記所定の回転角度に応じた前記外乱トルクの値を読み出し、前記導出手段によって導出されたトルクの値から、前記記憶手段から読み出した前記外乱トルクの値を減算したトルクで前記回転体が回転するように前記モータを制御する請求項１記載の搬送装置。
【請求項３】
前記記憶手段に記憶される情報は、前記回転体の所定周期毎に修正される請求項２記載の搬送装置。
【請求項４】
前記回転体を回転させるためのトルクの値を示した第１トルク指令値を導出する第１導出手段と、
前記回転体が回転したときの角加速度と前記回転体を回転させるためのトルクの値を示す第２トルク指令値とに基づいて、前記外乱トルクの値を導出する第２導出手段と、
前記第１導出手段によって導出された第１トルク指令値と前記第２導出手段によって導出された前記外乱トルクの値とに基づいて、前記第２トルク指令値を導出する第３導出手段と、
をさらに備え、
前記制御手段は、前記第２トルク指令値に基づいて前記モータを制御する請求項１記載の搬送装置。
【請求項５】
前記角加速度のうち所定周波数の値を通過させる第１フィルタと、
前記第２トルク指令値のうち所定周波数の値を通過させる第２フィルタと、
をさらに備え、
前記第２導出手段は、前記第１フィルタを通過した前記角加速度と、前記第２フィルタを通過した前記第２トルク指令値とに基づいて、前記外乱トルクの値を導出する請求項４記載の搬送装置。
【請求項６】
円形であり、該円形の中心を軸に回転する回転体と、
前記回転体を回転させるモータと、
前記回転体の周縁部に等間隔で複数設けられ、前記回転体が発生させるトルクによって開閉することで搬送物を把持し、前記回転体が回転した状態で、該搬送物の受け取り及び受け渡しを行う把持手段と、
を備えた搬送装置の制御方法であって、
前記把持手段によって前記回転体に与えられる外乱トルクを打ち消した所定のトルクで前記回転体が回転するように前記モータを制御する搬送装置の制御方法。
【請求項７】
円形であり、該円形の中心を軸に回転する回転体と、
前記回転体の周縁部に等間隔で複数設けられ、前記回転体が発生させるトルクによって開閉することで搬送物を把持し、前記回転体が回転した状態で、該搬送物を第１位置で受け取り、該搬送物を第２位置で受け渡す把持手段と、
前記第１位置に設けられ、前記把持手段に当接することで該把持手段を開閉させる第１カムと、
前記第２位置に設けられ、前記把持手段に当接することで該把持手段を開閉させる第２カムと、
を備えた搬送装置であって、
前記第１カム及び前記第２カムは、前記第１位置で前記把持手段が閉状態から開状態となる場合に、前記第２位置で前記把持手段が開状態から閉状態となり、前記第１位置で前記把持手段が閉状態から開状態となる場合に、前記第２位置で前記把持手段が開状態から閉状態となるように配置される搬送装置。
【請求項８】
前記第１カムの中心軸線と前記第２カムの中心軸線のなす角度は、隣接する前記把持手段間の間隔を示す角度の半分の奇数倍である請求項７記載の搬送装置。
【請求項９】
円形であり、該円形の中心を軸に回転する回転体と、
前記回転体を回転させるモータと、
前記回転体の周縁部に等間隔で複数設けられ、開閉することで搬送物を把持し、前記回転体が回転した状態で、該搬送物を第１位置で受け取り、該搬送物を第２位置で受け渡す把持手段と、
前記把持手段毎に設けられ、前記モータの動力に連動することなく前記把持手段を開閉させる開閉手段と、
を備えた搬送装置。
【請求項１０】
前記開閉手段は、モータ又は電磁力によって鉄心が駆動するソレノイドである請求項９記載の搬送装置。
【発明の詳細な説明】
【技術分野】
【０００１】
本発明は、搬送装置及び搬送装置の制御方法に関するものである。
【背景技術】
【０００２】
従来、搬送物（例えば、ボトル等）を搬送する搬送装置として、複数の回転体を備え、回転体から他の回転体へ搬送物を受け渡しながら、搬送物を搬送するものがある。上記複数の回転体は、ギアとシャフトにより機械的に連結されると共に、一つのモータで駆動され、各回転体の動きは、ギアのかみ合い精度等により補償されていた。
【０００３】
このような搬送装置として、特許文献１には、主機として作用する回転体と従機として作用する回転体に対し、主機と従機の位相を合わせる第１モード、主機の増減速に合わせながら従機を増減速する制御を行う第２モード、主機が増減速を完了し、一定速度を維持する第３モードを有し、第１モードでは、主機を停止した状態で、従機を低速で位相が零となるまで駆動し、第２モード及び第３モードでは、主機の運転速度に比例した速度演算結果と、主機を回転させるモータのエンコーダ及び従機を回転させるモータのエンコーダの出力から得られた位相制御演算結果と、ｎ個の位相の平均値を取り、これに比例した速度演算を行い、これらの和を従機の速度指令として与えることで、主機と従機の動きを制御する方法が記載されている。
【先行技術文献】
【特許文献】
【０００４】
【特許文献１】特開昭６２−１２２９８６号公報
【発明の概要】
【発明が解決しようとする課題】
【０００５】
ここで、各回転体毎にモータが設けられ、該モータによって回転体を回転させる搬送装置がある。
そして、これらの各回転体には、一対の把持爪で搬送物を把持するグリッパ（把持手段）が回転体の周縁に複数備えられている。グリッパは、一対の把持爪が搬送物を把持する側とは反する側にばねが設けられており、該ばねの付勢力に抗する力が付与されることによって、グリッパが開かれ、該力の付与が停止されることによってグリッパが閉じられる。そして、回転体の回転軸に連動するカム機構により、回転体から他の回転体へ搬送物を受け渡す位置付近で開閉する。この開閉のための動力（ばねの付勢力に抗する力）は、回転体の回転軸の駆動トルクにより得ている。そのため、グリッパを開閉する過程で、カム機構にばねの付勢力が作用し、回転体の一定速度の回転を妨げる外乱トルクとなる。
【０００６】
しかし、特許文献１に記載の制御方法は、主機と従機との位相を合わせることはできるものの、回転体が有するグリッパの開閉によって回転体の速度が変化することを抑制することはできない。
【０００７】
本発明は、このような事情に鑑みてなされたものであって、搬送物を把持する把持手段を周縁部に複数有する回転体を備えた搬送装置において、把持手段の開閉によって回転体の速度が変化することを抑制する搬送装置及び搬送装置の制御方法を提供することを目的とする。
【課題を解決するための手段】
【０００８】
上記課題を解決するために、本発明の搬送装置は以下の手段を採用する。
【０００９】
すなわち、本発明にかかる搬送装置は、円形であり、該円形の中心を軸に回転する回転体と、前記回転体を回転させるモータと、前記回転体の周縁部に等間隔で複数設けられ、前記回転体が発生させるトルクによって開閉することで搬送物を把持し、前記回転体が回転した状態で、該搬送物の受け取り及び受け渡しを行う把持手段と、前記把持手段によって前記回転体に与えられる外乱トルクを打ち消した所定のトルクで前記回転体が回転するように前記モータを制御する制御手段と、を備える。
【００１０】
本発明によれば、搬送装置は、円形であり、該円形の中心を軸に回転する回転体と、回転体を回転させるモータと、回転体の周縁部に等間隔で複数設けられ、回転体が発生させるトルクによって開閉することで搬送物を把持し、回転体が回転した状態で、該搬送物の受け取り及び受け渡しを行う把持手段と、を備えている。
【００１１】
把持手段は、回転体が発生させるトルクによって開閉するため、把持手段の開閉に伴う外乱トルクが回転体に発生する。具体的には、把持手段が開く場合は、回転体を減速させる外乱トルクが発生し、把持手段が閉じる場合は、回転体を加速させる外乱トルクが発生する。そのため、外乱トルクによって回転体が回転する速度が一定に保たれない場合がある。
【００１２】
そこで、制御手段が、把持手段によって回転体に与えられる外乱トルクを打ち消した所定のトルクで回転体が回転するようにモータを制御するので、把持手段の開閉によって回転体の速度が変化することを抑制できる。
【００１３】
また、本発明の搬送装置では、前記回転体の回転角度と前記外乱トルクの値との関係を示す情報を記憶した記憶手段と、前記回転体を所定の回転角度で回転させるためのトルクの値を導出する導出手段と、をさらに備え、前記制御手段が、前記記憶手段に記憶された前記情報から前記所定の回転角度に応じた前記外乱トルクの値を読み出し、前記導出手段によって導出されたトルクの値から、前記記憶手段から読み出した前記外乱トルクの値を減算したトルクで前記回転体が回転するように前記モータを制御してもよい。
【００１４】
本発明によれば、記憶手段が、回転体の回転角度と外乱トルクの値との関係を示す情報を記憶しており、導出手段によって、回転体を所定の回転角度で回転させるためのトルクの値が導出され、制御手段によって、記憶手段に記憶された情報から前記所定の回転角度に応じた外乱トルクの値を読み出し、導出手段により導出されたトルクの値から、記憶手段から読み出した外乱トルクの値を減算したトルクで回転体が回転するようにモータが制御される。
【００１５】
このように、導出手段により導出されたトルクの値から、記憶手段に記憶された情報により示される所定の回転角度に応じた外乱トルクの値を減算したトルクで回転体を回転させるので、より簡易な構成で、把持手段の開閉によって回転体の速度が変化することを抑制できる。
【００１６】
また、本発明の搬送装置では、前記記憶手段に記憶される情報が、前記回転体の所定周期毎に修正されてもよい。
【００１７】
本発明によれば、記憶手段に記憶される情報が、時間の経過と共に修正されるので、把持手段が発生させると共に経年変化等により変動する外乱トルクも打ち消すことができ、より確実に、把持手段の開閉によって回転体の速度が変化することを抑制できる。
【００１８】
また、本発明の搬送装置では、前記回転体を回転させるためのトルクの値を示した第１トルク指令値を導出する第１導出手段と、前記回転体が回転したときの角加速度と前記回転体を回転させるためのトルクの値を示す第２トルク指令値とに基づいて、前記外乱トルクの値を導出する第２導出手段と、前記第１導出手段によって導出された第１トルク指令値と前記第２導出手段によって導出された前記外乱トルクの値とに基づいて、前記第２トルク指令値を導出する第３導出手段と、をさらに備え、前記制御手段が、前記第２トルク指令値に基づいて前記モータを制御してもよい。
【００１９】
本発明によれば、第１導出手段によって、回転体を回転させるためのトルクの値を示した第１トルク指令値が導出され、第２導出手段によって、回転体が回転したときの角加速度と回転体を回転させるためのトルクの値を示した第２トルク指令値とに基づいて、外乱トルクの値が導出され、第３導出手段によって、第１導出手段によって導出された第１トルク指令値と第２導出手段で導出された外乱トルクの値とに基づいて、第２トルク指令値が導出される。そして、制御手段によって、トルク指令値に基づいてモータが制御される。
【００２０】
このように、回転体が回転したときの角加速度と回転体を回転させるためのトルクの値を示した第２トルク指令値とに基づいて外乱トルクの値を導出するので、回転体に発生する外乱トルクの値をリアルタイムで得ることができ、より確実に、把持手段の開閉によって回転体の速度が変化することを抑制できる。
【００２１】
また、本発明の搬送装置では、前記角加速度のうち所定周波数の値を通過させる第１フィルタと、前記第２トルク指令値のうち所定周波数の値を通過させる第２フィルタと、をさらに備え、前記第２導出手段が、前記第１フィルタを通過した前記角加速度と、前記第２フィルタを通過した前記第２トルク指令値とに基づいて、前記外乱トルクの値を導出してもよい。
【００２２】
本発明によれば、第１フィルタによって角加速度の雑音が除去され、第２フィルタによって第２トルク指令値の雑音が除去され、雑音が除去された角加速度と第２トルク指令値とに基づいて、外乱トルクの値が導出されるので、より確実に、把持手段の開閉によって回転体の速度が変化することを抑制できる。
【００２３】
また、上記課題を解決するために、本発明の搬送装置の制御方法は以下の手段を採用する。
【００２４】
すなわち、本発明にかかる搬送装置の制御方法は、円形であり、該円形の中心を軸に回転する回転体と、前記回転体を回転させるモータと、前記回転体の周縁部に等間隔で複数設けられ、前記回転体が発生させるトルクによって開閉することで搬送物を把持し、前記回転体が回転した状態で、該搬送物の受け取り及び受け渡しを行う把持手段と、を備えた搬送装置の制御方法であって、前記把持手段によって前記回転体に与えられる外乱トルクを打ち消した所定のトルクで前記回転体が回転するように前記モータを制御する。
【００２５】
本発明によれば、搬送装置は、円形であり、該円形の中心を軸に回転する回転体と、回転体を回転させるモータと、回転体の周縁部に等間隔で複数設けられ、回転体が発生させるトルクによって開閉することで搬送物を把持し、回転体が回転した状態で、該搬送物の受け取り及び受け渡しを行う把持手段と、を備えている。そして、把持手段によって回転体に与えられる外乱トルクを打ち消した所定のトルクで回転体が回転するようにモータを制御するので、把持手段の開閉によって回転体の速度が変化することを抑制できる。
【００２６】
また、上記課題を解決するために、本発明の搬送装置は以下の手段を採用する。
【００２７】
すなわち、本発明にかかる搬送装置は、円形であり、該円形の中心を軸に回転する回転体と、前記回転体の周縁部に等間隔で複数設けられ、前記回転体が発生させるトルクによって開閉することで搬送物を把持し、前記回転体が回転した状態で、該搬送物を第１位置で受け取り、該搬送物を第２位置で受け渡す把持手段と、前記第１位置に設けられ、前記把持手段に当接することで該把持手段を開閉させる第１カムと、前記第２位置に設けられ、前記把持手段に当接することで該把持手段を開閉させる第２カムと、を備えている。
【００２８】
前記第１カム及び前記第２カムは、前記第１位置で前記把持手段が閉状態から開状態となる場合に、前記第２位置で前記把持手段が開状態から閉状態となり、前記第１位置で前記把持手段が閉状態から開状態となる場合に、前記第２位置で前記把持手段が開状態から閉状態となるように配置される。
【００２９】
本発明によれば、搬送装置は、円形であり、該円形の中心を軸に回転する回転体と、回転体の周縁部に等間隔で複数設けられ、回転体が発生させるトルクによって開閉することで搬送物を把持し、回転体が回転した状態で、該搬送物を第１位置で受け取り、該搬送物を第２位置で受け渡す把持手段と、第１位置に設けられ、把持手段に当接することで該把持手段を開閉させる第１カムと、第２位置に設けられ、把持手段に当接することで該把持手段を開閉させる第２カムと、を備えている。
【００３０】
そして、第１カム及び第２カムは、第１位置で把持手段が閉状態から開状態となる場合に、第２位置で把持手段が開状態から閉状態となり、第１位置で把持手段が閉状態から開状態となる場合に、第２位置で把持手段が開状態から閉状態となるように配置されるので、第１位置で生じる外乱トルクと第２位置で生じる外乱トルクが打ち消し合い、把持手段の開閉によって回転体の速度が変化することを抑制することができる。
【００３１】
また、本発明の搬送装置は、前記第１カムの中心軸線と前記第２カムの中心軸線のなす角度を、隣接する前記把持手段間の間隔を示す角度の半分の奇数倍としてもよい。
【００３２】
本発明によれば、第１カムの中心軸線と第２カムの中心軸線がなす角度を、隣接する把持手段間の間隔を示す角度の半分の奇数倍とするので、より簡易な構成で把持手段の開閉によって回転体の速度が変化することを抑制できる。
【００３３】
さらに、上記課題を解決するために、本発明の搬送装置は以下の手段を採用する。
【００３４】
すなわち、本発明にかかる搬送装置は、円形であり、該円形の中心を軸に回転する回転体と、前記回転体を回転させるモータと、前記回転体の周縁部に等間隔で複数設けられ、開閉することで搬送物を把持し、前記回転体が回転した状態で、該搬送物を第１位置で受け取り、該搬送物を第２位置で受け渡す把持手段と、前記把持手段毎に設けられ、前記モータの動力に連動することなく前記把持手段を開閉させる開閉手段と、を備える。
【００３５】
本発明によれば、搬送装置は、円形であり、該円形の中心を軸に回転する回転体と、回転体を回転させるモータと、回転体の周縁部に等間隔で複数設けられ、開閉することで搬送物を把持し、前記回転体が回転した状態で、該搬送物を第１位置で受け取り、該搬送物を第２位置で受け渡す把持手段と、を備えている。そして、把持手段毎に設けられている開閉手段によって、モータの動力に連動することなく把持手段が開閉される。
【００３６】
これによって、把持手段が開閉しても外乱トルクは発生しないので、把持手段の開閉によって回転体の速度が変化することを抑制できる。
【００３７】
また、本発明の搬送装置は、前記開閉手段を、モータ又は電磁力によって鉄心が駆動するソレノイドとしてもよい。
【００３８】
本発明によれば、開閉手段をモータ又は電磁力によって鉄心が駆動するソレノイドとするので、より簡易な構成で把持手段の開閉によって回転体の速度が変化することを抑制できる。
【発明の効果】
【００３９】
把持手段の開閉によって回転体の速度が変化することを抑制できる。
【図面の簡単な説明】
【００４０】
【図１】本発明の第１実施形態に係る搬送装置の構成を示す概略図である。
【図２】本発明の第１実施形態に係る回転体の回転機構の構成を示す概略図である。
【図３】本発明の第１実施形態に係るグリッパの構成を示す概略図である。
【図４】本発明の第１実施形態に係る回転体の制御ブロック図である。
【図５】本発明の第２実施形態に係る回転体の制御ブロック図である。
【図６】本発明の第３実施形態に係るグリッパの開閉の説明に要する図である。
【図７】本発明の第３実施形態に係るグリッパ及びカムの配置位置を示す概略図である。
【図８】本発明の第４実施形態に係るグリッパの構成を示す概略図である。
【発明を実施するための形態】
【００４１】
以下に、本発明に係る搬送装置及び搬送装置の制御方法の一実施形態について、図面を参照して説明する。
【００４２】
〔第１実施形態〕
以下、本発明の第１実施形態について説明する。
【００４３】
図１に本第１実施形態に係る搬送装置１０の概略図を示す。なお、本第１実施形態に係る搬送装置１０は、搬送物の一例として中に液体（飲料物）が充填されるボトルを搬送する。なお、ボトルの材質は、ガラス又はＰＥＴ（Polyethylene  Terephthalate）等何れでもよく、ボトルの形状も後述するグリッパ５０で把持できる形状であればどのような形状でもよい。
【００４４】
搬送装置１０は、ボトルを搬送しながら、ボトルの殺菌及び洗浄、ボトルへの飲料物の充填、並びにボトルの開口部をキャップを用いて閉じる、複数の回転体（スターホイール１２、リンサ１４Ａ〜１４Ｃ、フィラー１６、キャッパ１８）で構成されている。そして、回転体から他の回転体へボトルが受け渡されることで、ボトルは搬送される。
【００４５】
具体的には、搬送装置１０へ搬送されたボトルは、スターホイール１２によって殺菌部２０へ搬送され、殺菌部２０に設けられたリンサ１４Ａ，１４Ｂによって内部が殺菌される。殺菌されたボトルは、洗浄部２２へスターホイール１２によって搬送され、洗浄部２２に設けられたリンサ１４Ｃによって内部が洗浄される。洗浄されたボトルは、充填部２４へスターホイール１２によって搬送され、充填部２４に設けられたフィラー１６によって内部に飲料物が充填される。そして、飲料物が充填されたボトルは、キャピング部２６へスターホイール１２によって搬送され、キャピング部２６に設けられたキャッパ１８によってキャップを用いて開口部が閉じられる。
【００４６】
図２に、スターホイール１２を例とした回転体の回転機構の概略図を示す。
【００４７】
同図に示すように、各スターホイール１２は、シャフト３０及び減速機３２を介してサーボモータ３４の回転軸と機械的に接続され、サーボモータ３４の回転軸の回転力によって回転する。なお、隣り合うスターホイール１２（回転体）は、各々回転方向が逆となるように制御される。
【００４８】
各サーボモータ３４は、サーボモータ３４を制御するためのサーボアンプ３６に電気的に接続されており、各サーボアンプ３６は、通信ケーブル３８を介してホストコントローラ４０に接続されている。ホストコントローラ４０は、各回転体を同期させるための位置指令値を各サーボアンプ３６に送信する。サーボアンプ３６は、ホストコントローラ４０から送信された位置指令値、位置指令値に基づいた速度指令値、及び対応するサーボモータ３４のモータエンコーダの検出値に基づいて、サーボモータ３４を制御する。なお、位置指令値とは、回転体を回転させる回転角度（例えば、０°〜３６０°）を示し、速度指令値とは、回転体を回転させる速度（角速度）を示す。
【００４９】
さらに、図３に示すように、各回転体の周縁には、ボトル４６を把持するための一対の把持爪５０Ａ，５０Ｂを有するグリッパ５０が等間隔で複数設けられている。グリッパ５０は、回転体が回転した状態で、隣接する他の回転体からボトル４６を所定位置（以下、「受取位置」という。）で受け取り、該他の回転体とは異なる隣接する他の回転体へボトル４６を所定位置（以下、「受渡位置」という。）で受け渡す。
【００５０】
把持爪５０Ａ，５０Ｂは、少なくとも何れか一方（一例として本第１実施形態では、把持爪５０Ａ）が中央近辺に設けられた軸５２を中心に回動する。そして、ボトル４６を把持する側とは反する側に設けられたばね５４の付勢力（以下、「ばね力Ｆｓ」という。）に抗する力が把持爪５０Ａに与えられることによって、把持爪５０Ａ，５０Ｂ、すなわちグリッパ５０は開かれる。そして、グリッパ５０の開かれた領域にボトルが位置した状態で、把持爪５０Ａへの力の付与を停止することで、再びグリッパ５０は閉じられる。このようにして、グリッパ５０は、ボトル４６を把持する。
【００５１】
なお、本第１実施形態に係るグリッパ５０は、回転軸に連動するカム機構により、各回転体におけるボトル４６の受取位置及び受渡位置付近で開閉する。具体的には、ボトル４６の受取位置及び受渡位置には、カム５６が配置されており、受取位置又は受渡位置に到達したグリッパ５０は、グリッパ５０に設けられたカムローラ５８がカム５６と当接する。これにより、ばね力Ｆｓに抗する接触加重Ｐが発生し、把持爪５０Ａが軸５２を中心に回動し、グリッパ５０が開く。そして、グリッパ５０が受取位置又は受渡位置から離れるとカムローラ５８はカム５６から離間するため、ばね力Ｆｓに抗する接触加重Ｐは失われ、把持爪５０Ａが軸５２を中心に元の位置へ回動し、グリッパ５０が閉じる。
【００５２】
このように、本第１実施形態にかかるグリッパ５０は、開閉のための動力（接触加重Ｐ）をカム５６及びカムローラ５８を介して回転体の回転軸の駆動トルクにより得、回転体が回転した状態で、他の回転体から受取位置でボトル４６を受け取り、受渡位置でボトル４６を他の回転体へ受け渡すことができる。
【００５３】
ここで、グリッパ５０が開かれる場合には、グリッパ５０のばね力Ｆｓに抗する接触加重Ｐを回転体の駆動トルクから得るため、回転体を減速させる方向に減速トルクが発生することとなる。一方、グリッパ５０が閉じられる場合は、逆に回転体を加速させる方向に加速トルクが発生することとなる。この加速トルク及び減速トルクは回転体の回転速度を乱す要素（以下、「外乱トルク」という。）となる。
【００５４】
そこで、本第１実施形態に係る搬送装置１０では、上記外乱トルクを打ち消した所定のトルクで回転体が回転するようにサーボモータ３４を制御する。
【００５５】
図４に、本第１実施形態に係るサーボモータ３４により回転される回転体の制御ブロック図を示す。
【００５６】
図４に示す制御ブロックは、サーボアンプ３６における制御ブロックである制御系７０と回転体における制御ブロックである機械系７２とに分けられる。
【００５７】
制御系７０は、減算部７４Ａ、位置制御部７６、減算部７４Ｂ、速度制御部７８、減算部７４Ｃ、テーブル情報読出部８０、及び記憶部８２を備えている。
【００５８】
減算部７４Ａは、ホストコントローラ４０から出力された位置指令値から、機械系７２から出力された回転体の回転角度を減算する。
【００５９】
位置制御部７６は、減算部７４Ａから出力された位置指令値に基づいて速度指令値を導出する。
【００６０】
減算部７４Ｂは、位置制御部７６から出力された速度指令値から、機械系７２から出力された回転体の角速度を減算する。
【００６１】
速度制御部７８は、減算部７４Ｂから出力された速度指令値に基づいて、該速度指令値に応じた回転角度で回転体を回転させるためのトルクの値を示すトルク指令値を導出する。なお、該トルク指令値とは、サーボモータ３４を回転させるための電流値である。
【００６２】
また、記憶部８２は、回転体の回転角度と外乱トルクの値との関係を示すテーブル情報を記憶している。なお、該テーブル情報とは、一例として、横軸を回転角度、縦軸をトルク補正値として表わしており、該トルク補正値が外乱トルクの値を示している。
【００６３】
そして、テーブル情報読出部８０は、記憶部８２に記憶されているテーブル情報から、機械系７２から出力された回転体の回転角度に応じたトルク補正値を読み出す。
【００６４】
減算部７４Ｃは、速度制御部７８から出力されたトルク指令値から、テーブル情報読出部８０から出力されたトルク補正値を減算する。そして、減算部７４Ｃから出力されたトルク指令値によってサーボモータ３４は回転し、該サーボモータ３４の回転により回転体は外乱トルクを打ち消したトルクで回転することとなる。
【００６５】
なお、機械系７２における減算部７４Ｄとは、カム５６及びカムローラ５８からなるカム機構８４で発生した外乱トルクによって回転体のトルクが減少することを便宜的に示しているものであり、実際に減算部７４Ｄに相当する機能を機械系７２は備えていない。そして、減算部７４Ｄから出力されるトルクの値が回転体で発生する正味のトルクである。
【００６６】
そして、制御ブロック８６Ａは、回転体のトルクに基づいた回転体の角速度を導出すると共に出力し、制御ブロック８６Ｂは、該角速度から回転体の回転角度を導出すると共に出力する。なお、本第１実施形態に係る制御ブロック８６Ｂから出力される回転角度とは、サーボモータ３４に備えられているエンコーダから出力される回転角度である。
【００６７】
さらに、本第１実施形態に係る搬送装置１０は、テーブル情報修正部８８を備えている。
【００６８】
テーブル情報修正部８８は、記憶部８２に記憶しているテーブル情報を逐次修正する。外乱トルクは、グリッパ５０の開閉のみの要因で発生するものではなく、経年劣化等によっても発生し、時間と共に変動する場合がある。このような場合にも、外乱トルクを打ち消すことができるようにするため、記憶部８２に記憶しているテーブル情報を逐次更新する。
【００６９】
具体的には、回転体の１周期分の回転を修正区間単位とし、その周期をＴとし、（１）式に示すように１周期分の制御系の速度偏差δω(t)、角度θ(t)を記憶部８２又は不図示の記憶手段に記憶する。
【数１】
2012006751.tif 000003
【００７０】
さらに、（２）式に示すように、速度偏差δω(ｔ)に調整係数Ｋを積算して得たデータ列を前の周期のトルク補正値δτに加算する。なお、（２）式において、初期データδτ(ｔ)｜０〜Ｔは全てゼロ（零）とされている。
【数２】
2012006751.tif 000004
【００７１】
そして、データ列δτを縦軸、θを横軸にしてテーブル情報を修正する。この修正されたデータ列δτ(θ)は、回転体の次の周期の回転のトルクの補正に用いられることとなる。このように、データ列δτ(θ)を回転体の所定周期毎（例えば、１周期毎）に修正し、回転角度の値に対応する外乱トルクを読み出して、速度制御部７８から出力されるトルク指令値を減算することで偏差を小さくする。
【００７２】
以上説明したように、本第１実施形態に係る搬送装置１０は、回転体の回転角度と外乱トルクの値との関係を示すテーブル情報を記憶した記憶部８２、及び回転体を所定の回転角度で回転させるトルクの値を導出する速度制御部７８を備え、記憶部８２に記憶されたテーブル情報から回転体の回転角度に応じた外乱トルクの値を読み出し、速度制御部７８によって導出されたトルクから読み出した上記外乱トルクの値を減算したトルクを回転体が発生するようにサーボモータ３４を制御する。
【００７３】
これによって、グリッパ５０の開閉によって回転体の速度が変化することを抑制することができる。これにより、隣り合う回転体の位相を同期させることができる。そして、回転体の速度の変化が抑制されるため、搬送物であるボトル４６の内容物が搬送中に飛散することを抑制できる。
【００７４】
〔第２実施形態〕
以下、本発明の第２実施形態について説明する。
【００７５】
なお、本第２実施形態に係る搬送装置１０の構成、及び回転体の回転機構の構成は、図１に示される第１実施形態に係る搬送装置１０の構成、及び図２に示される第１実施形態に係る回転体の回転機構の構成と同様であるので説明を省略する。
【００７６】
図５に、本第２実施形態に係るサーボモータ３４により回転される回転体の制御ブロック図を示す。なお、図５における図４と同一の構成部分については図４と同一の符号を付して、その説明を省略する。
【００７７】
本第２実施形態に係る制御系７０は、加算部９０、及び外乱トルク導出部９２を備えている。
【００７８】
加算部９０は、速度制御部７８で導出されたトルク指令値（以下、「第１トルク指令値」という。）から外乱トルク導出部９２で導出されたトルク補正値（詳細は後述）に基づいて、サーボモータ３４へ出力する第２トルク指令値を導出する。なお、本第２実施形態では、速度制御部７８で導出された第１トルク指令値から外乱トルク導出部９２で導出されたトルク補正値を加算することでサーボモータ３４へ出力する第２トルク指令値を導出する。
【００７９】
外乱トルク導出部９２は、回転体が回転したときの角加速度と加算部９０から出力された第２トルク指令値とに基づいて、外乱トルクの値を導出する。なお、本第２実施形態に係る外乱トルク導出部９２は、角加速度導出部９４、フィルタ９６Ａ、積算部９８、フィルタ９６Ｂ、及び減算部７４Ｅを備えている。
【００８０】
角加速度導出部９４は、回転体の角加速度を導出する。なお、本第２実施形態では、角加速度導出部９４に、機械系７２から出力された回転体の回転角度が入力され、該回転角度を２階微分することで、回転体の角加速度を導出する。
【００８１】
フィルタ９６Ａは、角加速度導出部９４から出力された角加速度が入力され、該角加速度のうち所定周波数の値を通過させ、該角加速度に含まれる雑音（ノイズ）を除去する。
【００８２】
積算部９８は、フィルタ９６Ａを通過した角加速度と回転体の慣性モーメントとを積算し、回転体のトルクの値を導出する。なお、慣性モーメントは、各回転体の設計値から予め算出される。
【００８３】
一方、フィルタ９６Ｂは、加算部９０から出力された第２トルク指令値が入力され、該第２トルク指令値のうち所定周波数の値を通過させ、該第２トルク指令値に含まれる雑音（ノイズ）を除去する。
【００８４】
なお、本第２実施形態に係る搬送装置１０では、フィルタ９６Ａ，９６Ｂとして、高周波の雑音を除去するためにローパスフィルタを用いるが、これに限らず、ハイパスフィルタ、又はバンドパスフィルタ等、他のフィルタを用いてもよい。また、フィルタ９６Ａに入力される角加速度とフィルタ９６Ｂに入力される第２トルク指令値との位相を合わせるため、フィルタ９６Ａ，９６Ｂの時定数を同一とすることが好ましい。
【００８５】
減算部７４Ｅは、フィルタ９６Ｂを通過した第２トルク指令値から、積算部９８から出力された回転体のトルクの値を減算することで外乱トルクを示すトルク補正値を導出する。そして、該トルク補正値は、加算部９０へ出力され、上述したように、速度制御部７８から出力された第１トルク指令値に加算され、加算部９０から第２トルク指令値が出力される。
【００８６】
そして、サーボアンプ３６は、加算部９０から出力された第２トルク指令値に基づいてサーボモータ３４を制御する。
【００８７】
ここで、外乱トルク導出部９２の作用を下記（３）式に示す運動方程式を用いて説明する。
【数３】
2012006751.tif 000005
【００８８】
（３）式において、Ｊは慣性モーメント、ωは回転体の角速度、Ｔはトルク指令値を示し、ｄｅは外乱トルクを示す。なお、角速度ωは、回転体の回転角度を微分することで求められる。そして、外乱トルクｄｅは、（３）式から下記（４）式のように求められる。
【数４】
2012006751.tif 000006
【００８９】
角速度ωを微分することで角加速度αが求められるため、外乱トルクｄｅは、（５）式から求められる。
【数５】
2012006751.tif 000007
【００９０】
このように（５）式によって、外乱トルク導出部９２で外乱トルクｄｅが導出され、該外乱トルクｄｅをトルク補正値として加算部９０へ出力する。
【００９１】
以上説明したように、本第２実施形態に係る搬送装置１０は、回転体が回転したときの角加速度とサーボモータ３４に出力する第２トルク指令値とに基づいて、外乱トルクの値を導出し、速度制御部７８で導出された第１トルク指令値と上記外乱トルクの値とに基づいて、サーボモータ３４に出力する第２トルク指令値を導出し、該第２トルク指令値に基づいてサーボモータ３４を制御する。
【００９２】
これによって、回転体に発生する外乱トルクの値をリアルタイムで得ることができ、より確実に、グリッパ５０の開閉によって回転体の速度が変化することを抑制することができる。これにより、隣り合う回転体の位相を同期させることができる。そして、回転体の速度の変化が抑制されるため、搬送物であるボトル４６の内容物が搬送中に飛散することを抑制できる。
【００９３】
〔第３実施形態〕
以下、本発明の第３実施形態について説明する。
【００９４】
なお、本第３実施形態に係る搬送装置１０の構成、及び回転体の回転機構の構成は、図１に示される第１実施形態に係る搬送装置１０の構成、及び図２に示される第１実施形態に係る回転体の回転機構の構成と同様であるので説明を省略する。
【００９５】
本第３実施形態に係る搬送装置１０では、受取位置及び受渡位置、すなわちグリッパ５０が開閉する位置を、上述した外乱トルクを抑制する位置とする。
【００９６】
図６に、本第３実施形態に係るグリッパ５０及びカム５６の配置位置を示す。なお、受取位置に対応するカムをカム５６Ａとし、受渡位置に対応するカムをカム５６Ｂとする。また、以下の説明において、各カムを区別する場合は、符号の末尾に対応するＡ，Ｂの何れかを付して説明し、各カムを区別しない場合は、Ａ，Ｂを省略する。
【００９７】
ここで、図６に示すように、グリッパ５０のカムローラ５８と当接するカム５６の領域１１０は、曲面とされており、カム５６とカムローラ５８とが当接を開始し始めると、回転体の回転と共に徐々にカム５６がカムローラ５８を押し上げ、これに伴い、グリッパ５０が徐々に開く。そして、カムローラ５８を最も押し上げる位置でグリッパ５０の開度が最大となる。その後、回転体の回転と共にカム５６によるカムローラ５８の押し上げは徐々に弱まり、これに伴い、グリッパ５０は徐々に閉まる。すなわち、カム５６とカムローラ５８とが当接するカム５６の領域１１０は、グリッパ５０を閉状態から開状態にする開く領域１１０Ａとグリッパ５０を開状態から閉状態にする領域１１０Ｂとに分けられる。
【００９８】
そして、図７に示すカム５６Ａの中心軸線１１６Ａとカム５６Ｂの中心軸線１１６Ｂのなす角度（開き角度ξ）が、（６）式に示すように、隣接するグリッパ５０間の間隔を示す角度（グリッパピッチ角Ψ）の半分の奇数倍となるようにカムを配置する。
【００９９】
【数６】
2012006751.tif 000008
【０１００】
この配置によって、カム５６Ａ及びカム５６Ｂは、図７に示す受取位置１１２でグリッパ５０が閉状態から開状態となる場合に、図７に示す受渡位置１１４でグリッパ５０が開状態から閉状態となり、受取位置１１２でグリッパ５０が開状態から閉状態となる場合に、受渡位置１１４でグリッパ５０が閉状態から開状態となるように配置される。すなわち、受取位置１１２でカムローラ５８がカム５６Ａの領域１１０Ａと当接している場合に、受渡位置１１４でカムローラ５８がカム５６Ｂの領域１１０Ｂと当接し、受取位置１１２でカムローラ５８がカム５６Ａの領域１１０Ｂと当接している場合に、受渡位置１１４でカムローラ５８がカム５６Ｂの領域１１０Ａと当接する。
【０１０１】
これにより、グリッパ５０の開閉に伴い生じる外部トルクは打ち消される。
【０１０２】
以上説明したように、本第３実施形態に係る搬送装置１０では、受取位置１１２でグリッパ５０が閉状態から開状態となる場合に、受渡位置１１４でグリッパ５０が開状態から閉状態となり、受取位置１１２でグリッパ５０が開状態から閉状態となる場合に、受渡位置１１４でグリッパ５０が閉状態から開状態となるので、受取位置１１２で生じる外乱トルクと受渡位置１１４で生じる外乱トルクが打ち消し合い、グリッパ５０の開閉によって回転体の速度が変化することを抑制することができる。これに伴い、隣り合う回転体の位相を同期させることができる。そして、回転体の速度の変化が抑制されるため、搬送物であるボトル４６の内容物が搬送中に飛散することを抑制できる。
【０１０３】
〔第４実施形態〕
以下、本発明の第４実施形態について説明する。
【０１０４】
なお、本第４実施形態に係る搬送装置１０の構成、及び回転体の回転機構の構成は、図１に示される第１実施形態に係る搬送装置１０の構成、及び図２に示される第１実施形態に係る回転体の回転機構の構成と同様であるので説明を省略する。
【０１０５】
上記第１〜３実施形態では、グリッパ５０は、開閉のための動力（接触加重Ｐ）を回転体の回転軸の駆動トルクにより得ていたが、本第４実施形態では、回転体に連動することなくグリッパ５０を開閉させる開閉部を、グリッパ５０毎に設ける。
【０１０６】
図８に、本第４実施形態に係るグリッパ５０の構成を示す。
【０１０７】
図８（Ａ）に示すグリッパ５０は、上記開閉部として、サーボモータ１３０を備えている。
【０１０８】
サーボモータ１３０の回転軸は、ボールネジ１３２の一端に連結されている。そして、ボールネジ１３２の他端は、ボールネジ１３２に沿って移動する台座１３４に連結されている。そして、台座１３４には連結部材１３６Ａ，１３６Ｂの一端が連結点１３８で回動可能なように連結されている。一方、連結部材１３６Ａの他端は、把持爪５０Ａのボトル４６を把持する側とは異なる側に回動可能なように連結され、連結部材１３６Ｂの他端は、把持爪５０Ｂのボトル４６を把持する側とは異なる側に回動可能なように連結されている。
【０１０９】
これにより、サーボモータ１３０によってボールネジ１３２を所定方向に回転させることによって、台座１３４は、グリッパ５０が連結されている方向とは異なる方向である方向Ａへ移動する。これにより、連結部材１３６Ａ，１３６Ｂの開き角度θが小さくなり、グリッパ５０は開くこととなる。一方、ボールネジ１３２を所定方向とは逆の方向に回転させることで、台座１３４は、グリッパ５０が連結されている方向Ｂへ移動する。これにより、連結部材１３６Ａ，１３６Ｂの開き角度θが大きくなり、グリッパ５０は閉じることとなる。
【０１１０】
一方、図８（Ｂ）に示すグリッパ５０は、開閉部材として、電磁力によって鉄心（プランジャ１４０Ａ）が駆動するソレノイド１４０を備える。
【０１１１】
ソレノイド１４０は、把持爪５０Ａ，５０Ｂのボトル４６を把持する側とは異なる側に備えられており、本第４実施形態では、一例として、本体１４０Ｂが把持爪５０Ａに連結され、プランジャ１４０Ａが把持爪５０Ｂに連結される。
【０１１２】
そして、ソレノイド１４０の電流を流すことによって、プランジャ１４０Ａを移動させ、グリッパ５０を開閉させる。
【０１１３】
以上説明したように、本第４実施形態に係る搬送装置１０では、回転体に連動させることなくグリッパ５０を開閉させるので、グリッパ５０の開閉によって回転体の速度が変化することを抑制することができる。これに伴い、隣り合う回転体の位相を同期させることができる。そして、回転体の速度の変化が抑制されるため、搬送物であるボトル４６の内容物が搬送中に飛散することを抑制できる。
【０１１４】
以上、本発明を、上記各実施形態を用いて説明したが、本発明の技術的範囲は上記各実施形態に記載の範囲には限定されない。発明の要旨を逸脱しない範囲で上記各実施形態に多様な変更または改良を加えることができ、該変更または改良を加えた形態も本発明の技術的範囲に含まれる。
【符号の説明】
【０１１５】
１０    搬送装置
１２    スターホイール
３４    サーボモータ
３６    サーボアンプ
５０    グリッパ
５６Ａ  カム
５６Ｂ  カム
７８    速度制御部
８２    記憶部
９０    加算部
９２    外乱トルク導出部
９６Ａ  フィルタ
９６Ｂ  フィルタ
１３０  サーボモータ
１４０  ソレノイド
【図１】
2012006751.tif 000009
【図２】
2012006751.tif 000010
【図３】
2012006751.tif 000011
【図４】
2012006751.tif 000012
【図５】
2012006751.tif 000013
【図６】
2012006751.tif 000014
【図７】
2012006751.tif 000015
【図８】
2012006751.tif 000016